(57)【要約】【課題】スリングを利用してユニットを吊り下げて移動させるような場合に、その吊り下げ作業を容易かつ適切に行なうことが可能な温水システム用ユニットを提供する。【解決手段】温水システムの構成機器１０が外装ケース１１内に収容された本体部１と、この本体部１の下側に取り付けられた支持脚部２と、を備えている、温水システム用ユニットＵであって、支持脚部２は、設置箇所に載置されるベース部２０から上向きに起立した起立部２１を有していることにより、本体部１の横幅方向両側部または前後方向両側部のそれぞれの下方には、水平方向を向いて開口した凹状の隙間４Ａが形成され、この隙間４Ａの上側部分には、スリング５が隙間４Ａに挿入されてその上壁部に掛けられたときに、スリング５が隙間４Ａの外側に外れることを防止可能な下向きの凸部２３が設けられている。【選択図】  図４
2014009897.tif 000002
【特許請求の範囲】
【請求項１】
温水システムの構成機器が外装ケース内に収容された本体部と、
この本体部の下側に取り付けられた支持脚部と、
を備えている、温水システム用ユニットであって、
前記支持脚部は、設置箇所に載置されるベース部から上向きに起立した起立部を有していることにより、前記本体部の横幅方向両側部または前後方向両側部のそれぞれの下方には、水平方向を向いて開口した凹状の隙間が形成され、
この隙間の上側部分には、スリングが前記隙間に挿入されてこの隙間の上壁部に掛けられたときに、前記スリングが前記隙間の外側に外れることを防止可能な下向きの凸部が設けられていることを特徴とする、温水システム用ユニット。
【請求項２】
請求項１に記載の温水システム用ユニットであって、
前記凸部は、前記支持脚部の起立部の上部に連設された水平板部の先端縁を下向きに屈曲させることにより設けられ、または前記外装ケースの下縁部の一部を下向きに延設することにより設けられている、温水システム用ユニット。
【請求項３】
請求項１または２に記載の温水システム用ユニットであって、
前記本体部の上部には、キャップ状に形成された防護用の第１のカバーが取り外し可能に被されており、
この第１のカバーの外面には、スリングを利用してこの温水システム用ユニットを吊り下げる際に、前記スリングの一部を進入させることによって前記スリングの位置ずれを防止可能な第１の凹部が設けられている、温水システム用ユニット。
【請求項４】
請求項１ないし３のいずれかに記載の温水システム用ユニットであって、
前記本体部の上部には、シート体を用いてキャップ状に形成された防護用の第２のカバーが取り外し可能に被されており、
この第２のカバーには、スリングを利用してこの温水システム用ユニットを吊り下げる際に、前記スリングの一部を進入させることによって前記スリングの位置ずれを防止可能な第２の凹部を形成するための切り込み線が設けられ、
この切り込み線に沿って前記第２のカバーの一部を変形させることにより、前記第２の凹部を形成可能である、温水システム用ユニット。
【発明の詳細な説明】
【技術分野】
【０００１】
本発明は、たとえば温水を加熱生成するための熱源として利用される燃料電池ユニットやヒートポンプユニット、あるいは給湯用の温水を貯留する貯湯タンクユニットなど、温水システムの構成機器がユニット化された温水システム用ユニットに関する。
【背景技術】
【０００２】
たとえば、コージェネレーションシステムの燃料電池ユニットは、燃料電池やその付属機器を略直方体状の外装ケース内に収容し、かつこの外装ケースの下部に支持脚部を設けることにより、所定の場所に設置できるように構成されている場合が多い。一方、このような燃料電池ユニットは、その重量が１００ｋｇを超えるなど、その重量はかなり大きくなるのが一般的である。このため、荷下ろしの際にはクレーンを用いて吊り下げ可能とされることが望まれる。
そこで、従来においては、支持脚部にナイロンスリングなどのスリングを通すための貫通孔を設けたものが存在する。
【０００３】
しかしながら、前記したような構成によれば、支持脚部の貫通孔にその側方からスリングを挿通する必要があるため、その作業は面倒であり、作業性が悪いという不具合があった。また、燃料電池ユニットを吊り下げた際には、スリングが燃料電池ユニットの上部に接触して擦れを生じ、この部分に傷が付く虞もある。したがって、好ましくは、このようなことも適切に防止することが要望される。このような要望は、燃料電池ユニットに限らず、たとえばヒートポンプユニットなど、重量が大きい他の温水システム用ユニットについても同様である。
【先行技術文献】
【特許文献】
【０００４】
【特許文献１】特開２０１２−８３０１２号公報
【特許文献２】特開２００８−８１１９９号公報
【発明の概要】
【発明が解決しようとする課題】
【０００５】
本発明は、前記したような事情のもとで考え出されたものであり、スリングを利用してユニットを吊り下げて移動させるような場合に、その吊り下げ作業を容易かつ適切に行なうことが可能な温水システム用ユニットを提供することを、その課題としている。
【課題を解決するための手段】
【０００６】
上記の課題を解決するため、本発明では、次の技術的手段を講じている。
【０００７】
本発明により提供される温水システム用ユニットは、温水システムの構成機器が外装ケース内に収容された本体部と、この本体部の下側に取り付けられた支持脚部と、を備えている、温水システム用ユニットであって、前記支持脚部は、設置箇所に載置されるベース部から上向きに起立した起立部を有していることにより、前記本体部の横幅方向両側部または前後方向両側部のそれぞれの下方には、水平方向を向いて開口した凹状の隙間が形成され、この隙間の上側部分には、スリングが前記隙間に挿入されてこの隙間の上壁部に掛けられたときに、前記スリングが前記隙間の外側に外れることを防止可能な下向きの凸部が設けられていることを特徴としている。
【０００８】
このような構成によれば、スリングを前記隙間に挿入して前記隙間の上壁部に掛けるこ
とにより、スリングおよびクレーンを利用した温水システム用ユニットの吊り下げが可能となることに加え、次のような効果が得られる。
第１に、前記隙間は水平方向を向いて開口した凹状であるために、この隙間にスリングを挿入する作業は容易であり、スリングを貫通孔に挿通させていた従来技術と比較すると、スリングを温水システム用ユニットに掛ける際の作業性が格段に良くなる。
第２に、前記隙間の上側部分に設けられた下向きの凸部は、スリングが前記隙間から外れることを防止する。したがって、温水システム用ユニットを吊り下げる際に、このユニットが多少傾くような事態を生じても、このユニットがスリングから外れて落下するといった不具合を生じないようにすることができる。
【０００９】
本発明において、好ましくは、前記凸部は、前記支持脚部の起立部の上部に連設された水平板部の先端縁を下向きに屈曲させることにより設けられ、または前記外装ケースの下縁部の一部を下向きに延設することにより設けられている。
【００１０】
このような構成によれば、支持脚部あるいは外装ケースの一部を利用して凸部が形成されており、別部材を用いて凸部を設ける場合と比較すると、その構成は合理的であって、部品点数を少なくすることができるといった利点が得られる。
【００１１】
本発明において、好ましくは、前記本体部の上部には、キャップ状に形成された防護用の第１のカバーが取り外し可能に被されており、この第１のカバーの外面には、スリングを利用してこの温水システム用ユニットを吊り下げる際に、前記スリングの一部を進入させることによって前記スリングの位置ずれを防止可能な第１の凹部が設けられている。
【００１２】
このような構成によれば、温水システム用ユニットを吊り下げる際に、スリングが本体部の上部に接触して擦れることが防止されることは勿論のこと、スリングの一部が第１のカバーの外面に設けられている凹部に進入して位置決めされるために、吊り下げ状態を安定させることができる。なお、温水システム用ユニットの設置工事を完了した後には、第１のカバーを取り外しておけばよい。
【００１３】
本発明において、好ましくは、前記本体部の上部には、シート体を用いてキャップ状に形成された防護用の第２のカバーが取り外し可能に被されており、この第２のカバーには、スリングを利用してこの温水システム用ユニットを吊り下げる際に、前記スリングの一部を進入させることによって前記スリングの位置ずれを防止可能な第２の凹部を形成するための切り込み線が設けられ、この切り込み線に沿って前記第２のカバーの一部を変形させることにより、前記第２の凹部を形成可能である。
前記第２のカバーは、前記第１のカバーの上に被せてもよいし、前記第１のカバーを用いることなく、第２のカバーを本体部の上部に直接被せた構成としてもよい。
【００１４】
このような構成によれば、第１のカバーを用いた場合と同様に、スリングが本体部の上部に接触して擦れることを防止できる効果、およびスリングの一部を第２の凹部に進入させてスリングを安定させることができる効果が得られる。加えて、第２の凹部は、第２のカバーに設けられた切り込み線を利用して現場で簡単に形成することができる。第２のカバーの製造に際し、第２の凹部を形成する必要はないため、第２のカバーの製造工程の簡素化を図り、その製造コストを廉価にすることができる利点も得られる。
【００１５】
本発明のその他の特徴および利点は、添付図面を参照して以下に行なう発明の実施の形態の説明から、より明らかになるであろう。
【図面の簡単な説明】
【００１６】
【図１】（ａ）は、本発明に係る温水システム用ユニットの一例を示す斜視図であり、（ｂ）は、（ａ）に示す温水システム用ユニットの一部を変形させた状態の要部斜視図である。
【図２】図１に示す温水システム用ユニットの正面図である。
【図３】（ａ）は、図１に示す温水システム用ユニットの分解斜視図であり、（ｂ）は、（ａ）の断面図である。
【図４】（ａ）は、図１に示す温水システム用ユニットの吊り下げ状態の一例を示す正面図であり、（ｂ）は、（ａ）の側面図である。
【図５】（ａ）は、図１に示す温水システム用ユニットの吊り下げ状態の他の例を示す正面図であり、（ｂ）は、（ａ）の側面図である。
【図６】（ａ）は、第２のカバーの他の例を示す斜視図であり、（ｂ）は、この第２のカバーの一部を変形させた状態を示す斜視図である。
【発明を実施するための形態】
【００１７】
以下、本発明の好ましい実施の形態について、図面を参照して具体的に説明する。
【００１８】
図１に示す温水システム用ユニットＵは、具体的には、ＳＯＦＣなどの燃料電池ユニットである。この温水システム用ユニットＵは、本体部１と支持脚部２とを有している。本体部１の上部には、後述する防護用の第１および第２のカバー３Ａ，３Ｂが被せられている。
【００１９】
図３（ｂ）によく表われているように、本体部１は、燃料電池およびこれに付属する各種の機器１０を、略直方体状の外装ケース１１内に収容させた構成である。燃料電池から発生する高温の排ガスから熱回収を行なうことにより給湯用の温水を生成するための熱交換器も本体部１内に組み込まれている。
【００２０】
支持脚部２は、本体部１を支持するための部分であり、金属板をプレス加工することにより構成され、本体部１の底壁部１２の下面部に固定して取り付けられている。この支持脚部２は、本体部１の前後方向ｘの両側部１ａ，１ｂ（前側部１ａ，後側部１ｂ）のそれぞれの下方に配されて、一対に設けられており、本体部１の横幅方向ｙに延びた形態を有している。より詳細には、支持脚部２は、温水システム用ユニットＵの設置箇所に載置されるベース部２０を有している。このベース部２０の長手方向両端部は、本体部１の下方領域からはみ出しており、このはみ出し部に、アンカーボルトなどを挿通させるための切欠き状または非切欠き状の孔部２０ａが形成されている。
【００２１】
支持脚部２は、ベース部２０の一側縁から上向きに起立する起立部２１、この起立部２１の上部に繋がった水平板部２２、およびこの水平板部２２の先端縁が屈曲されることにより形成された下向きの凸部２３を有している。凸部２３および水平板部２２とベース部２０との間には、前方または後方を向いて開口した隙間４Ａが形成されている。この隙間４Ａの横幅方向ｙの両端部も開口している。この隙間４Ａは、本体部１の前側部１ａおよび後側部１ｂの下方に位置しており、図４を参照して後述するように、スリング５を掛止させるのに利用することが可能である。水平板部２２は、本発明でいう「隙間の上壁部」の一例に相当する。図３の仮想線で示すように、支持脚部２の起立部２１、水平板部２２、および凸部２３は、ベース部２０よりも長手方向の寸法が短くされ、本体部１の下方領域からはみ出さないように設定されている。
【００２２】
図２によく表われているように、本体部１の横幅方向ｙの両側部１ｃ，１ｄの下方には、隙間４Ｂが形成されている。この隙間４Ｂは、横幅方向ｙの外方を向いて開口し、また前後方向ｘにおける両端部も開口している。この隙間４Ｂは、図５を参照して後述するように、スリング５を掛止させるのに利用することができる。隙間４Ｂの上側部分には、隙間４ｂの上壁部４０よりも下向きに突出した凸部１１ａが設けられている。この凸部１１
ａは、外装ケース１１の下縁部の一部を下向きに延設することにより構成されている。隙間４Ｂの上壁部４０は、たとえば図３（ｂ）で示した底壁部１２の一部である。
【００２３】
第１および第２のカバー３Ａ，３Ｂは、温水システム用ユニットＵの梱包時に本体部１の上部に被せられ、本体部１の保護を図るためのものであり、温水システム用ユニットＵの搬入設置作業を終えた後には取り外される。第１のカバー３Ａは、たとえば発泡スチロール製であり、下部が開口した矩形キャップ状である。ただし、図３（ａ）によく表われているように、第１のカバー３Ａの４つの側面部のそれぞれには、第１の凹部３１が設けられている。この第１の凹部３１は、後述するスリング５の位置ずれを防止するのに役立つ。
【００２４】
第２のカバー３Ｂは、第１のカバー３Ａに被せられており、段ボールなどのシート体を用いて構成されている。第１のカバー３Ａが発泡スチロール製である場合、この第１のカバー３Ａは、比較的鋭利な他物との接触によって欠けなどの破損を生じ易いが、第２のカバー３Ｂは、第１のカバー３Ａのそのような不利を解消するのに役立つ。この第２のカバー３Ｂも、第１のカバー３Ａと同様に、下部が開口した矩形キャップ状である。ただし、この第２のカバー３Ｂには、複数対の切り込み線３３が設けられている。これらの切り込み線３３は、第２のカバー３Ｂの計４箇所の側面部から上板部３４の周縁部にわたって延びた形態に設けられている。この第２のカバー３Ｂにおいては、互いに対をなす２条の切り込み線３３に挟まれた部分を指などで押圧すると、この部分が窪み、図１（ｂ）に示すように、第２の凹部３２を形成することが可能である。第２の凹部３２の内側には、第１の凹部３１が位置している。
【００２５】
次に、前記した温水システム用ユニットＵの作用について説明する。
【００２６】
まず、温水システム用ユニットＵを、クレーンを利用して移動させる場合には、図４または図５に示すような態様で温水システム用ユニットＵを吊り下げることができる。図４および図５のいずれの態様を選択するかは、温水システム用ユニットＵの設置箇所の条件などに応じて適宜決定すればよいが、このような選択ができれば、融通性に富み、好ましい。
【００２７】
図４に示す態様においては、ナイロンスリングなどのスリング５を一対の隙間４Ａにそれぞれ挿入させて、各隙間４Ａの上壁部としての水平板部２２に掛けている。隙間４Ａにスリング５を挿入する場合には、隙間４Ａの横からスリング５を単に挿入するだけでよく、その作業性は良好である。
【００２８】
スリング５をクレーンのフック５９に掛止させてから、温水システム用ユニットＵを吊り下げ状態とする場合、凸部２３は、スリング５が隙間４Ａから外れることを阻止するストッパとして機能する。したがって、温水システム用ユニットＵを上昇させた際に、この温水システム用ユニットＵに多少の傾きを生じたとしても、このことによってスリング５が温水システム用ユニットＵから容易に外れるといった不具合はない。
【００２９】
また、第２のカバー３Ｂについては、スリング５に対応する箇所に第２の凹部３２を形成し、かくこの第２の凹部３２にスリング５の一部を進入させておく。このことにより、スリング５の位置決めを図り、温水システム用ユニットＵを吊り下げた際の安定感を高めることができる。スリング５が本体部１の上部周辺の外面に直接接触することを防止し、本体部１に擦り傷などが発生しないようにする効果も得られる。第２の凹部３２は、一対の切り込み線３３によって挟まれた箇所を押圧して簡単に形成することができるために、このことが大きな作業負担になることもない。
【００３０】
図５に示す態様においては、スリング５を一対の隙間４Ｂに挿入させて、その上壁部４０に掛けている。この場合においては、凸部１１ａがスリング５の外れ防止用のストッパとして機能する。したがって、図４の場合と同様に、温水システム用ユニットＵを上昇させた際にスリング５が温水システム用ユニットＵから外れることを適切に防止することができる。また、隙間４Ｂには、その側方からスリング５を簡単に挿入することもできる。さらに、第２のカバー３Ｂについては、スリング５に対応する箇所に第２の凹部３２を予め形成しておくことにより、この第２の凹部３２にスリング５を配置させて、その位置決めを適切に図ることができるといった効果も得られる。
【００３１】
図６は、本発明の他の実施形態を示している。同図において、前記実施形態と同一または類似の要素には、前記実施形態と同一の符号を付している。
【００３２】
図６（ａ）に示す第２のカバー３Ｂは、第２の凹部３２を形成するための切り込み線３３が、ミシン目状とされている。このような構成であっても、ミシン目状の部分を破断させることによって、同図（ｂ）に示すように第２の凹部３２を適切に形成することが可能である。本実施形態から理解されるように、本発明でいう切り込み線は、連続した切り込み線に限らず、ミシン目状などの不連続な切り込み線とすることもできる。
【００３３】
本発明は、上述した実施形態の内容に限定されない。本発明に係る温水システム用ユニットの各部の具体的な構成は、本発明の意図する範囲内において種々に設計変更自在である。
【００３４】
上述した実施形態では、前後方向ｘに離間した一対の隙間４Ａと、横幅方向ｙに離間した一対の隙間４Ｂとが設けられているが、これらの隙間４Ａ，４Ｂのうち、いずれか一方のみを設けた構成とすることもできる。
【００３５】
スリングの外れを防止するための下向きの凸部を、支持脚部や外装ケースの一部を利用して構成すれば、部品点数の増加を抑制できるといった利点が得られるが、本発明は、やはりこれに限定されない。たとえば、支持脚部２の水平板部２２や、本体部１の底壁部１２に、ボルトを取り付けて、このボルトを本発明が意図する下向きの凸部としてもよい。勿論、ボルト以外の部材を用いることもできる。支持脚部２は、要は、本体部の下方の所定箇所に水平方向を向いて開口した凹状の隙間が形成されるように、ベース部から上向きに起立した起立部を有する構成であればよく、たとえば上述の実施形態の水平板部２２を具備しない構成とすることもできる。支持脚部２は、本体部１の横幅方向ｙに一連に延びた形態でなくてもよく、その具体的な形態や数なども限定されない。
【００３６】
本発明でいう第１および第２のカバーは、必ずしも互いに組み合わされて用いられなくてもよい。第１のカバーのみを用いた構成、あるいは第２のカバーのみを用いた構成とすることもできる。
【００３７】
本発明に係る温水システム用ユニットは、温水システムを構成する機器を備えたユニットの意である。燃料電池やガスエンジンを利用した発電ユニットは、高温の排ガスが温水生成に利用される。したがって、これらのユニットは、本発明でいう温水システム用ユニットの概念に含まれる。前記以外として、湯水加熱に利用されるヒートポンプユニット、およびヒートポンプなどによって加熱された湯水を貯留するための貯湯タンクを備えた貯湯タンクユニットなども、本発明でいう温水システム用ユニットの概念に含まれる。
【符号の説明】
【００３８】
Ｕ  温水システム用ユニット
１  本体部
１ａ，１ｂ  本体部の前後方向の両側部
１ｃ，１ｄ  本体部の横幅方向の両側部
２  支持脚部
３Ａ，３Ｂ  第１および第２のカバー
４Ａ，４Ｂ  隙間
５  スリング
１０  機器（温水システムの構成機器）
１１  外装ケース
１１ａ  凸部
２０  ベース部（支持脚部の）
２１  起立部（支持脚部の）
２２  水位板部（支持脚部の）
２３  凸部
３１  第１の凹部
３２  第２の凹部
３３  切り込み線
【図１】
2014009897.tif 000003
【図２】
2014009897.tif 000004
【図３】
2014009897.tif 000005
【図４】
2014009897.tif 000006
【図５】
2014009897.tif 000007
【図６】
2014009897.tif 000008